(57)【要約】【課題】  基地局が再度チャネル（特にキャリア）を割り当てる際に、移動局が接続可能なチャネル候補を予め取得し、その中からチャネルを割り当てることで、１回の再接続要求で接続可能なチャネルを確実に割り当てることを目的としている。【解決手段】  本発明の無線通信システム１００の移動局は、基地局１２０により割り当てられたチャネルのキャリアが接続不可であれば、当該移動局が接続可能なキャリアの候補を予め基地局１２０に送信することができるので、基地局１２０と移動局の双方が確実に接続できるチャネルを迅速に選択して接続することが可能となる。【選択図】    図２
2009201074.tif 000002
【特許請求の範囲】
【請求項１】
移動局と、該移動局と無線通信を行う基地局と、を含む無線通信システムであって、
前記基地局は、
前記移動局との接続に用いるスロットを割り当てるスロット割当部と、
前記割り当てられたスロットにおけるキャリアセンスを通じてキャリアを割り当てるキャリア割当部と、
前記割り当てられたスロットおよびキャリアを前記移動局に割当メッセージとして送信する割当メッセージ送信部と、
前記移動局から再接続要求メッセージがあった場合、該再接続要求メッセージに含まれる１または複数のキャリアに対してキャリアセンスを行い、キャリアを割り当て、前記割当メッセージ送信部に再送信させる再キャリア割当部と、
を備え、
前記移動局は、
前記基地局から割当メッセージを受信する割当メッセージ受信部と、
前記割り当てられたスロットおよびキャリアについてキャリアセンスを行い、接続の可否を確認する接続確認部と、
割り当てられたスロットおよびキャリアが接続不可であった場合に、該スロットにおけるキャリアセンスを通じて接続可能な１または複数のキャリアを抽出し、該１または複数のキャリアを含む再接続要求メッセージを前記基地局に送信する再接続要求送信部と、
を備えることを特徴とする無線通信システム。
【請求項２】
前記基地局は、前記再接続要求メッセージに含まれる接続可能なキャリアが全て接続不可であった場合に、接続不可メッセージを前記移動局に送信する接続不可メッセージ送信部をさらに備えることを特徴とする請求項１に記載の無線通信システム。
【請求項３】
前記移動局は、前記基地局に割り当てられたスロットおよびキャリアが接続不可であり、かつ割り当てられたキャリアとは別のキャリアに接続可能なキャリアがない場合には、他の基地局に接続要求を行う新規接続要求部をさらに備えることを特徴とする請求項１または２に記載の無線通信システム。
【請求項４】
移動局と無線通信を行う基地局であって、
前記移動局との接続に用いるスロットを割り当てるスロット割当部と、
前記割り当てられたスロットにおけるキャリアセンスを通じてキャリアを割り当てるキャリア割当部と、
前記割り当てられたスロットおよびキャリアを前記移動局に割当メッセージとして送信する割当メッセージ送信部と、
前記割り当てられたスロットおよびキャリアが前記移動局において接続不可であった場合に該移動局において抽出された接続可能な１または複数のキャリアを含む再接続要求メッセージを受信した場合、該再接続要求メッセージに含まれる１または複数のキャリアに対してキャリアセンスを行い、キャリアを割り当て、前記割当メッセージ送信部に再送信させる再キャリア割当部と、
を備えることを特徴とする基地局。
【請求項５】
基地局と無線通信を行う移動局であって、
前記基地局から割当メッセージを受信する割当メッセージ受信部と、
前記基地局にて割り当てられたスロットおよびキャリアについてキャリアセンスを行い、接続の可否を確認する接続確認部と、
割り当てられたスロットおよびキャリアが接続不可であった場合に、該スロットにおけるキャリアセンスを通じて接続可能な１または複数のキャリアを抽出し、該１または複数のキャリアを含む再接続要求メッセージを前記基地局に送信する再接続要求送信部と、
を備え、
前記基地局は、該再接続要求メッセージに含まれる１または複数のキャリアに対してキャリアセンスを行い、再度キャリアを割り当てることを特徴とする移動局。
【請求項６】
移動局と、該移動局と無線通信を行う基地局と、を含む無線通信方法であって、
前記基地局は、
前記移動局との接続に用いるスロットを割り当て、
前記割り当てられたスロットにおけるキャリアセンスを通じてキャリアを割り当て、
前記割り当てられたスロットおよびキャリアを前記移動局に割当メッセージとして送信し、
前記移動局は、
前記基地局から割当メッセージを受信し、
前記割り当てられたスロットおよびキャリアについてキャリアセンスを行い、接続の可否を確認し、
割り当てられたスロットおよびキャリアが接続不可であった場合に、該スロットにおけるキャリアセンスを通じて接続可能な１または複数のキャリアを抽出し、該１または複数のキャリアを含む再接続要求メッセージを前記基地局に送信し、
前記基地局は、
前記移動局から再接続要求メッセージがあった場合、該再接続要求メッセージに含まれる１または複数のキャリアに対してキャリアセンスを行い、キャリアを割り当て、割当メッセージを再送信することを特徴とする無線通信方法。
【発明の詳細な説明】
【技術分野】
【０００１】
本発明は、ＴＤＭＡ方式を用いて無線通信を行う、無線通信システム、基地局、移動局、および無線通信方法に関するものである。
【背景技術】
【０００２】
ＰＨＳなどの無線通信の代表的な方式の一つとして、ＴＤＭＡ−ＴＤＤ方式がある（TDMA： Time Division Multiple Access：時分割多重方式、TDD：Time Division Duplex：時分割複信）。ＴＤＭＡは、１つの周波数を時間軸で細分化し、複数の相手と通信を行う方式である。ＴＤＤは通信経路を時間軸で細分化し、短時間に送信と受信を切り替える方式である。
【０００３】
ＴＤＤ通信において、基地局（CS:Cell Station）が送信するタイミングでは、移動局（PS:Personal Station）は受信を行い、逆に移動局が送信するタイミングでは、基地局は受信を行う。また、ＴＤＭＡ通信において、データは１タイムスロット毎に分割され送受信が行われる。なお、ＴＤＭＡ方式において、移動局は、異なるチャネルを使用して複数の基地局と通信を行うことも、１つの基地局に対して異なるチャネルを使用して通信を行うことも可能である。
【０００４】
移動局と基地局との間で通信接続をするためのチャネルを割り当てるときは、移動局から基地局へ接続要求メッセージが送信され、基地局は、移動局との接続に用いるスロットおよびキャリアを決めるため、使用可能スロットにおけるキャリアセンスを通じて最も妨害波の少ないスロットおよびキャリアを選択し、そのスロットとキャリアの組合せ（チャネル）を割り当てメッセージにのせて送信する。移動局は割り当てられたチャネルが使用可能かどうかのチャネルのキャリアセンスを通じて確認し、例えば妨害波が所定値を超えていて利用できないと判定された場合、同一の基地局へ再接続要求のメッセージを送信する。基地局は、移動局から再接続要求のメッセージを受信し、使用可能スロットにおけるキャリアセンスを再度行い、前回割り当てたチャネル以外の最も妨害波の少ないキャリアを割り当てる。
【０００５】
また、移動局と基地局との通信をおこなうとき、キャリアセンスに基づき互いに通信可能な異なる２つの送信方式を使用して、移動局から基地局へ第１の送信方式を使用して送信を行い、基地局から移動局へ第２の送信方式を使用して受信状況に関係する情報を通知する技術（例えば、特許文献１）が知られている。
【特許文献１】特開２００６−１３５５９号公報
【発明の開示】
【発明が解決しようとする課題】
【０００６】
いずれの従来技術にしても、チャネルは、基地局におけるキャリアセンスに基づいて決定されて割り当てられているので、基地局と移動局とで通信環境が相異する場合、基地局が割り当てたチャネルが、必ずしも移動局の所望する通信レベルに達成されない場合があった。
【０００７】
また、従来の技術では、基地局で割り当てられたチャネルが移動局周囲の妨害波によって移動局において接続不可であった場合、基地局が新たにチャネルを割り当てることができるが、その基地局におけるキャリアセンスに移動局の状況が全く反映されていないので、新たなチャネルもまた接続不可となる可能性があり、再接続要求のキャッチボールにより接続まで長時間を要すこともあった。
【０００８】
本発明は、このような課題に鑑み、基地局が再度チャネル（特にキャリア）を割り当てる際に、移動局が接続可能なチャネル候補を予め取得し、その中からチャネルを割り当てることで、１回の再接続要求で接続可能なチャネルを確実に割り当てることが可能な無線通信システム、基地局、移動局、および無線通信方法を提供することを目的としている。
【課題を解決するための手段】
【０００９】
上記課題を解決するために、本発明にかかる代表的な構成は、移動局と、移動局と無線通信を行う基地局と、を含む無線通信システムであって、基地局は、移動局との接続に用いるスロットを割り当てるスロット割当部と、割り当てられたスロットにおけるキャリアセンスを通じてキャリアを割り当てるキャリア割当部と、割り当てられたスロットおよびキャリアを移動局に割当メッセージとして送信する割当メッセージ送信部と、移動局から再接続要求メッセージがあった場合、再接続要求メッセージに含まれる１または複数のキャリアに対してキャリアセンスを行い、キャリアを割り当て、割当メッセージ送信部に再送信させる再キャリア割当部と、を備え、移動局は、基地局から割当メッセージを受信する割当メッセージ受信部と、割り当てられたスロットおよびキャリアについてキャリアセンスを行い、接続の可否を確認する接続確認部と、割り当てられたスロットおよびキャリアが接続不可であった場合に、スロットにおけるキャリアセンスを通じて接続可能な１または複数のキャリアを抽出し、１または複数のキャリアを含む再接続要求メッセージを基地局に送信する再接続要求送信部と、を備えることを特徴とする。
【００１０】
上記の構成により、移動局は、基地局により割り当てられたチャネルのキャリアが接続不可であれば、移動局が接続可能なキャリアの候補を予め基地局に送信することができ、基地局と移動局の双方が確実に接続できるチャネルを迅速に選択して接続することが可能となる。ここで、チャネルはＴＤＭＡ方式におけるスロットとそのスロットで利用されるキャリアとから特定される。
【００１１】
基地局は、再接続要求メッセージに含まれる接続可能なキャリアが全て接続不可であった場合に、接続不可メッセージを移動局に送信する接続不可メッセージ送信部をさらに備えてもよい。
【００１２】
このように基地局が、通信を行うことが不可能である旨移動局に伝達することにより、移動局に他の基地局への接続を促すことができ、移動局は無駄な接続要求を繰り返すことなく早期の通信接続を図ることが可能となる。
【００１３】
移動局は、基地局に割り当てられたスロットおよびキャリアが接続不可であり、かつ割り当てられたキャリアとは別のキャリアに接続可能なキャリアがない場合には、他の基地局に接続要求を行う新規接続要求部をさらに備えてもよい。
【００１４】
移動局は、基地局と通信できるキャリアが存在しないことを受けて、同じ基地局への無駄な再接続要求を中止し、他の基地局へ接続の要求を行う。かかる構成により、移動局は、早期の通信接続を図ることが可能となる。
【００１５】
本発明にかかる他の構成は、移動局と無線通信を行う基地局であって、移動局との接続に用いるスロットを割り当てるスロット割当部と、割り当てられたスロットにおけるキャリアセンスを通じてキャリアを割り当てるキャリア割当部と、割り当てられたスロットおよびキャリアを移動局に割当メッセージとして送信する割当メッセージ送信部と、割り当てられたスロットおよびキャリアが移動局において接続不可であった場合に移動局において抽出された接続可能な１または複数のキャリアを含む再接続要求メッセージを受信した場合、再接続要求メッセージに含まれる１または複数のキャリアに対してキャリアセンスを行い、キャリアを割り当て、割当メッセージ送信部に再送信させる再キャリア割当部と、を備えることを特徴とする。
【００１６】
上記の構成により、基地局は、移動局が接続可能なキャリア候補を予め知ることができるので、そのキャリア候補のみをキャリアセンスすればよく、キャリアセンスの対象が少なくて済み、基地局と移動局の双方が確実に接続できるチャネルを迅速に選択して接続することが可能となる。
【００１７】
本発明にかかる他の構成は、基地局と無線通信を行う移動局であって、基地局から割当メッセージを受信する割当メッセージ受信部と、基地局にて割り当てられたスロットおよびキャリアについてキャリアセンスを行い、接続の可否を確認する接続確認部と、割り当てられたスロットおよびキャリアが接続不可であった場合に、スロットにおけるキャリアセンスを通じて接続可能な１または複数のキャリアを抽出し、１または複数のキャリアを含む再接続要求メッセージを基地局に送信する再接続要求送信部と、を備え、基地局は、再接続要求メッセージに含まれる１または複数のキャリアに対してキャリアセンスを行い、再度キャリアを割り当てることを特徴とする。
【００１８】
上記の構成により、基地局から割り当てられたチャネルが接続不可であった場合、移動局から接続可能なキャリアの候補を予め基地局に送信することができ、移動局の状況を考慮したチャネルの割当を基地局に行わせることが可能となる。
【００１９】
本発明にかかる他の構成は、移動局と、移動局と無線通信を行う基地局と、を含む無線通信方法であって、基地局は、移動局との接続に用いるスロットを割り当て、割り当てられたスロットにおけるキャリアセンスを通じてキャリアを割り当て、割り当てられたスロットおよびキャリアを移動局に割当メッセージとして送信し、移動局は、基地局から割当メッセージを受信し、割り当てられたスロットおよびキャリアについてキャリアセンスを行い、接続の可否を確認し、割り当てられたスロットおよびキャリアが接続不可であった場合に、スロットにおけるキャリアセンスを通じて接続可能な１または複数のキャリアを抽出し、１または複数のキャリアを含む再接続要求メッセージを基地局に送信し、基地局は、移動局から再接続要求メッセージがあった場合、再接続要求メッセージに含まれる１または複数のキャリアに対してキャリアセンスを行い、キャリアを割り当て、割当メッセージ送信を再送信することを特徴とする。
【００２０】
上述した無線通信システムの技術的思想に基づく構成要素やその説明は、当該基地局、移動局および無線通信方法にも適用可能である。
【発明の効果】
【００２１】
以上説明したように本発明では、基地局が再度チャネル（特にキャリア）を割り当てる際に、移動局が接続可能なチャネル候補を予め取得し、その中からチャネルを割り当てることで、１回の再接続要求で接続可能なチャネルを確実に割り当てることが可能となる。
【発明を実施するための最良の形態】
【００２２】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２３】
以下の実施形態では、理解を容易にするため、まず、無線通信システム全体の構成を説明し、その後、無線通信システムの機能および動作について詳述する。また、本実施形態の移動局として、上述したＰＨＳのほかに、ノート型パーソナルコンピュータ、ＰＤＡ（Personal Digital Assistant）等の様々な電子機器を適用可能であるが、ここではＰＨＳ端末を例に挙げて説明する。
【００２４】
（無線通信システム１００）
図１は、無線通信システム１００の概略的な構成を示したブロック図である。かかる無線通信システム１００は、ＰＨＳ端末１１０（１１０Ａ、１１０Ｂ）と、基地局１２０（１２０Ａ、１２０Ｂ）と、ＩＳＤＮ（Integrated Services Digital Network）やインターネット等の通信網１３０と、中継サーバ１４０とを含んで構成される。
【００２５】
上記無線通信システム１００において、ユーザが自身のＰＨＳ端末１１０Ａから他のＰＨＳ端末１１０Ｂへの通信回線の接続を行う場合、ＰＨＳ端末１１０Ａは、通信可能範囲内にある基地局１２０Ａに無線接続要求を行う。無線接続要求を受信した基地局１２０Ａは、通信網１３０を介して中継サーバ１４０に通信相手との通信接続を要求し、中継サーバ１４０は、他のＰＨＳ端末１１０Ｂの無線通信範囲内にある例えば基地局１２０Ｂを選択して基地局１２０Ａと基地局１２０Ｂとの通信経路を確保し、ＰＨＳ端末１１０ＡとＰＨＳ端末１１０Ｂの通信を確立する。
【００２６】
このような無線通信システム１００においては、ＰＨＳ端末１１０と基地局１２０との通信を実際に行うチャネルの割当が行われる。ここでは、基地局１２０とＰＨＳ端末１１０の双方が確実に接続できるチャネルを迅速に選択して接続することを目的としている。
【００２７】
（ＰＨＳ端末１１０）
図２は、ＰＨＳ端末１１０のハードウェア構成を示した機能ブロック図であり、図３は、ＰＨＳ端末１１０の外観を示した斜視図である。ＰＨＳ端末１１０は、移動局制御部１６０と、移動局メモリ１６２と、表示部１６４と、操作部１６６と、音声入力部１６８と、音声出力部１７０と、移動局無線通信部１７２とを含んで構成される。
【００２８】
上記移動局制御部１６０は、中央処理装置（ＣＰＵ）を含む半導体集積回路によりＰＨＳ端末１１０全体を管理および制御する。また、移動局制御部１６０は、移動局制御部１６０は、移動局メモリ１６２のプログラムを用いて、通話機能、メール送受信機能、撮像機能、音楽再生機能、ＴＶ視聴機能も遂行する。
【００２９】
さらに移動局制御部１６０は、基地局１２０から移動局無線通信部１７２を通じて割当てメッセージを受信する割当メッセージ受信部１８０と、割当てメッセージに含まれるチャネル（スロットおよびキャリア）についてキャリアセンスを行い、接続の可否を確認する接続確認部１８２と、割り当てられたスロットおよびキャリアが接続不可であった場合に、スロットにおけるキャリアセンスを通じて接続可能な１または複数のキャリアを抽出し、１または複数のキャリアを含む再接続要求メッセージを基地局１２０に移動局無線通信部１７２を通じて送信する再接続要求送信部１８４と、基地局１２０に割り当てられたスロットおよびキャリアが接続不可であり、かつ割り当てられたキャリアとは別のキャリアに接続可能なキャリアがない場合には、他の基地局１２０に接続要求を行う新規接続要求部１８６として機能する。
【００３０】
上記の構成により、基地局１２０から割り当てられたチャネルが接続不可であった場合、ＰＨＳ端末１１０から接続可能なキャリアの候補を予め基地局１２０に送信することができ、ＰＨＳ端末１１０の状況を考慮したチャネルの割当を基地局１２０に行わせることが可能となる。
【００３１】
また、新規接続要求部１８６の構成により、ＰＨＳ端末１１０は、基地局１２０と通信できるキャリアが存在しないことを受けて、同じ基地局１２０への無駄な再接続要求を中止し、他の基地局へ接続の要求を行う。こうして、ＰＨＳ端末１１０は、早期の通信接続を図ることが可能となる。
【００３２】
上記移動局メモリ１６２は、ＲＯＭ、ＲＡＭ、ＥＥＰＲＯＭ、不揮発性ＲＡＭ、フラッシュメモリ、ＨＤＤ（Hard Disk Drive）等で構成され、移動局制御部１６０で処理されるプログラムや音声データ等を記憶する。
【００３３】
上記表示部１６４は、液晶ディスプレイ、ＥＬ(Electro Luminescence)等で構成され、移動局メモリ１６２に記憶された、または通信網１３０を介してアプリケーション中継サーバ（図示せず）から提供される、ＷｅｂブラウザやアプリケーションのＧＵＩ（Graphical User Interface）を表示することができる。
【００３４】
上記操作部１６６は、キーボード、十字キー、ジョイスティック等のスイッチから構成され、ユーザの操作入力を受け付ける。
【００３５】
上記音声入力部１６８は、マイク等の音声認識手段で構成され、通話時に入力されたユーザの音声をＰＨＳ端末１１０内で処理可能な電気信号に変換する。
【００３６】
上記音声出力部１７０は、スピーカで構成され、ＰＨＳ端末１１０で受信した通話相手の音声信号を音声に変えて出力する。また、着信音や、操作部１６６の操作音、アラーム音等も出力できる。
【００３７】
上記移動局無線通信部１７２は、通信網１３０における基地局１２０との無線通信を行う。このような無線通信としては、基地局１２０内でフレームを時分割した複数のタイムスロットをそれぞれＰＨＳ端末１１０のチャネルに割り当てて通信を行う時分割多重方式（ＴＤＭ：Time Division Multiplex）等が採用されている。
【００３８】
（基地局１２０）
図４は、基地局１２０の概略的な構成を示したブロック図である。基地局１２０は、基地局制御部２１０と、基地局メモリ２１２と、基地局無線通信部２１４とを含んで構成される。
【００３９】
上記基地局制御部２１０は、中央処理装置（ＣＰＵ）を含む半導体集積回路により基地局１２０全体を管理および制御する。また、基地局制御部２１０は、ＰＨＳ端末１１０との接続に用いるスロットを割り当てるスロット割当部２２０と、割り当てられたスロットにおけるキャリアセンスを通じてキャリアを割り当てるキャリア割当部２２２と、割り当てられたスロットおよびキャリアをＰＨＳ端末１１０に割当メッセージとして送信する割当メッセージ送信部２２４と、ＰＨＳ端末１１０から再接続要求メッセージがあった場合、再接続要求メッセージに含まれる１または複数のキャリアに対してキャリアセンスを行い、キャリアを割り当て、割当メッセージ送信部２２４に再送信させる再キャリア割当部２２６と、再接続要求メッセージに含まれる接続可能なキャリアが全て接続不可であった場合に、接続不可メッセージをＰＨＳ端末１１０に送信する接続不可メッセージ送信部２２８として機能する。
【００４０】
上記基地局メモリ２１２は、ＲＯＭ、ＲＡＭ、ＥＥＰＲＯＭ、不揮発性ＲＡＭ、フラッシュメモリ、ＨＤＤ等で構成され、基地局制御部２１０で処理されるプログラムや時刻情報等を記憶する。
【００４１】
上記基地局無線通信部２１４は、ＰＨＳ端末１１０との通信を確立し、ＰＨＳ端末１１０の通信品質に応じて、変調方式やコーデックを適応的に変更することもできる。
【００４２】
上記の構成により、基地局１２０は、ＰＨＳ端末１１０が接続可能なキャリア候補を予め知ることができるので、そのキャリア候補のみをキャリアセンスすればよく、キャリアセンスの対象が少なくて済み、基地局１２０とＰＨＳ端末１１０の双方が確実に接続できるチャネルを迅速に選択して接続することが可能となる。
【００４３】
また、接続不可メッセージ送信部２２８を通じて、基地局１２０が、通信を行うことが不可能である旨ＰＨＳ端末１１０に伝達することにより、ＰＨＳ端末１１０に他の基地局１２０への接続を促すことができ、ＰＨＳ端末１１０は無駄な接続要求を繰り返すことなく早期の通信接続を図ることが可能となる。
【００４４】
ここで、ＰＨＳ端末１１０の再接続要求メッセージとして送信する内容について詳細に説明する。
【００４５】
図５は、従来の再接続要求メッセージ２５０の構成を示した説明図である。図５（ａ）は、再接続要求メッセージ２５０における各情報の配置を示す。横軸はビット２５２で区切られ、縦軸はオクテット２５４で区切られている。オクテット２５４とは、８ビット単位の情報のことである。
【００４６】
ＰＨＳ端末１１０は、基地局１２０から割り当てられたチャネルに対するキャリアセンスの結果をオクテット２５４の４段目にある理由表示２５６に記す。図５（ｂ）は、理由表示２５６とそれを表すビット列の対応を示している。例えば、ＰＨＳ端末１１０は割り当てられたチャネルにてキャリアセンスを行った結果が接続不可であった場合、理由表示２５６に（００１１０）と割り当て、基地局１２０に送信する。そして、基地局１２０は、接続不可であることを受けて再度別のチャネル（同一スロットで異なるキャリア）をＰＨＳ端末１１０に割り当てる。
【００４７】
図６は、本実施形態における再接続要求メッセージ２６０の構成を示した説明図である。横軸はビット２５２を、縦軸はオクテット２５４を示している。ＰＨＳ端末１１０は、基地局１２０から割り当てられたチャネルについてキャリアセンスを行う。そしてキャリアセンスの結果接続不可であれば、再接続要求送信部１８４は、同一のスロットにおけるキャリアセンスを通じて接続可能な１または複数のキャリアを抽出し、抽出したキャリアの候補をオクテット２５４の２から４のいずれか任意の場所に割り当て、当該割り当てられたキャリア番号２６２に合致する番号を付して再接続要求メッセージとして送信する。
【００４８】
ここで、１回の送信で送ることができるキャリアの候補は、キャリア番号１からキャリア番号３までの３キャリア分である。キャリアの候補が４キャリア以上になった場合は、複数回に分けて送信される。このような複数回送信されるとき、キャリアの候補の送信が最後であれば、継続フラグ２６４に（０）を設定する。キャリアの候補の送信が継続する場合、継続フラグ２６４に（１）を設定する。
【００４９】
（無線通信方法）
以上説明した無線通信システム１００におけるＰＨＳ端末１１０と基地局１２０とを用いた無線通信方法を以下に詳述する。
【００５０】
図７は、正常に行われている無線通信方法の処理の流れを示したシーケンスである。ここではＰＨＳ端末１１０Ａと基地局１２０Ａとを用いて説明を行う。かかるシーケンスでは、ＰＨＳ端末１１０Ａと基地局１２０Ａの通信が正常に行われた場合の処理動作が示されている。
【００５１】
まず、通信を所望するＰＨＳ端末１１０Ａは、通信の接続要求を基地局１２０Ａに送信する（Ｓ３００）。通信の要求を受信した基地局１２０Ａのスロット割当部２２０はスロットを割り当て、キャリア割当部２２２は割り当てられたスロットにおけるキャリアセンスを通じてキャリアを割り当てる（Ｓ３０２）。詳細には、当該スロットにて利用可能な全てのキャリアの電界強度を検知し、その電界強度が低いキャリアは妨害波のレベルが低いとみなし、最も電界強度が低いキャリアを通信に利用するキャリアとして選択する。基地局１２０Ａの割当メッセージ送信部２２４は、当該割り当てられたスロットおよびキャリアをチャネルとして割当メッセージに付しＰＨＳ端末１１０Ａに送信する（Ｓ３０４）。
【００５２】
ＰＨＳ端末１１０Ａの割当メッセージ受信部１８０が当該割当メッセージを受信すると、ＰＨＳ端末１１０Ａの接続確認部１８２は割り当てられたスロットおよびキャリアについてキャリアセンスを行い、割り当てられたキャリアの電界強度が所定値以下であり、妨害波の影響がないことを確認すると、（Ｓ３０６）、当該キャリアによるチャネルを利用して接続の要求を基地局１２０Ａに送信する（Ｓ３０８）。そして、基地局１２０Ａは、当該チャネルを使用してＰＨＳ端末１１０Ａとの通信接続を開始する（Ｓ３１０）。
【００５３】
次に、基地局１２０Ａが割り当てたチャネルに対し、ＰＨＳ端末１１０Ａのキャリアセンスによって接続が不可である場合に、ＰＨＳ端末１１０Ａが使用可能なキャリアを候補として基地局１２０Ａに送信し、その後ＰＨＳ端末１１０Ａと基地局１２０Ａの通信が正常に行われる場合の処理動作を説明する。
【００５４】
図８は、ＰＨＳ端末１１０Ａで予め選択されたキャリア候補を用いてチャネルの割り当てを行う無線通信方法の処理の流れを示したシーケンスである。ここでは図７と同様にＰＨＳ端末１１０Ａと基地局１２０Ａとを用いて説明を行う。かかるシーケンスでは、ＰＨＳ端末１１０Ａと基地局１２０Ａの通信が最終的に正常に行われた場合の処理動作が示されている。なお、説明するにあたり、Ｓ３００からＳ３０４までは上述した処理と実質的に等しいためここでは、その説明を省略する。
【００５５】
ＰＨＳ端末１１０Ａの接続確認部１８２は、割り当てられたスロットおよびキャリアについてキャリアセンスを行い、接続の可否を確認するが、割り当てられたスロットおよびキャリアが接続不可であった場合、再接続要求送信部１８４がスロットにおけるキャリアセンスを通じて接続可能な１または複数のキャリアを抽出し（Ｓ３２０）、１または複数のキャリアを含む再接続要求メッセージを基地局１２０Ａに送信する（Ｓ３２２）。
【００５６】
そして、基地局１２０Ａの再キャリア割当部２２６は、ＰＨＳ端末１１０Ａから再接続要求メッセージを受けて、再接続要求メッセージに含まれる１または複数のキャリアに対してキャリアセンスを行い（Ｓ３２４）、電界強度が最小かつ所定値以下であるキャリアを抽出し、キャリアを割り当て、割当メッセージ送信部２２４に再送信させる（Ｓ３２６）。
【００５７】
ＰＨＳ端末１１０Ａの割当メッセージ受信部１８０が当該割当メッセージを受信すると、ＰＨＳ端末１１０Ａの接続確認部１８２は割り当てられたスロットおよびキャリアについてキャリアセンスを行い、割り当てられたキャリアの電界強度が所定値以下であり、妨害波の影響がないことを確認すると、（Ｓ３２８）、当該キャリアによるチャネルを利用して接続の要求を基地局１２０Ａに送信する（Ｓ３３０）。こうして、基地局１２０Ａは、当該チャネルを使用してＰＨＳ端末１１０Ａとの通信接続をすることを要求され、通信を開始する（Ｓ３３２）。
【００５８】
上記の構成により、ＰＨＳ端末１１０Ａは、基地局１２０Ａにより割り当てられたチャネルのキャリアが接続不可であれば、ＰＨＳ端末１１０Ａが接続可能なキャリアの候補を予め基地局１２０Ａに送信することができ、基地局１２０ＡとＰＨＳ端末１１０Ａの双方が確実に接続できるチャネルを迅速に選択して接続することが可能となる。
【００５９】
続いて、ＰＨＳ端末１１０Ａからの接続が不可能となった場合について説明を行う。図９は、ＰＨＳ端末１１０Ａの接続不可能による無線通信方法の処理の流れを示したシーケンスである。なお、説明するにあたり、図８で既に説明したＳ３００からＳ３３０の処理は実質的に等しいので、ここでは説明を省略する。
【００６０】
ＰＨＳ端末１１０Ａから送信された再接続要求メッセージを受けた、基地局１２０Ａの再キャリア割当部２２６は、再接続要求メッセージに含まれる１または複数のキャリアに対してキャリアセンスを行い、キャリアを割り当てる（Ｓ３４４）。ここで、再接続要求メッセージに含まれる接続可能なキャリアが全て接続不可であった場合、接続不可メッセージ送信部２２８は、接続不可メッセージをＰＨＳ端末１１０Ａに送信する（Ｓ３４６）。
【００６１】
ＰＨＳ端末１１０Ａは、基地局１２０Ａから接続不可メッセージを受けると、当該基地局１２０Ａとの接続処理を中止し（Ｓ３４８）、他の基地局（ここでは、基地局１２０Ｂ）への接続処理を開始する（Ｓ３５０）。このように基地局１２０Ａが、通信を行うことが不可能である旨ＰＨＳ端末１１０Ａに伝達することにより、ＰＨＳ端末１１０Ａに他の基地局１２０Ｂへの接続を促すことができ、ＰＨＳ端末１１０Ａは無駄な接続要求を繰り返すことなく早期の通信接続を図ることが可能となる。
【００６２】
上記の他に基地局１２０Ａからの接続が不可能な場合について説明を行う。図１０は、基地局１２０Ａの接続不可能による無線通信方法の処理の流れを示したシーケンスである。なお、説明するにあたり、図９で既に説明したＳ３００からＳ３２６の処理は実質的に等しいので、ここでは説明を省略する。
【００６３】
ＰＨＳ端末１１０Ａは、割当メッセージ受信部１８０が当該割当メッセージを受信すると、ＰＨＳ端末１１０Ａの接続確認部１８２は割り当てられたスロットおよびキャリアについてキャリアセンスを行う。ここで、キャリアが接続不可であった場合に、さらに、再接続要求メッセージがスロットにおけるキャリアセンスを通じて接続可能な１または複数のキャリアを抽出する（Ｓ３６０）。かかるキャリア抽出においても接続可能なキャリアがない場合、新規接続要求部１８６は、他の基地局１２０Ｂに接続要求を行う（Ｓ３６２）。
【００６４】
ＰＨＳ端末１１０Ａは、基地局１２０Ａと通信できるキャリアが存在しないことを受けて、同じ基地局１２０Ａへの無駄な再接続要求を中止し、他の基地局１２０Ｂへ接続の要求を行う。かかる構成により、ＰＨＳ端末１１０Ａは、早期の通信接続を図ることが可能となる。
【００６５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６６】
なお、本明細書の無線通信方法における各工程は、必ずしもシーケンスとして記載された順序に沿って時系列に処理する必要はなく、並列的あるいは個別に実行される処理（例えば、並列処理あるいはオブジェクトによる処理）も含むとしても良い。
【産業上の利用可能性】
【００６７】
本発明は、ＴＤＭＡ方式を用いて無線通信を行う、無線通信システム、基地局、移動局、および無線通信方法に利用することができる。
【図面の簡単な説明】
【００６８】
【図１】無線通信システムの概略的な構成を示したブロック図である。
【図２】ＰＨＳ端末のハードウェア構成を示した機能ブロック図である。
【図３】ＰＨＳ端末の外観を示した斜視図である。
【図４】基地局の概略的な構成を示したブロック図である。
【図５】従来の再接続要求メッセージの構成を示した説明図である。
【図６】本実施形態における再接続要求メッセージの構成を示した説明図である。
【図７】正常に行われている無線通信方法の処理の流れを示したシーケンスである。
【図８】ＰＨＳ端末で予め選択されたキャリア候補を用いてチャネルの割り当てを行う無線通信方法の処理の流れを示したシーケンスである。
【図９】ＰＨＳ端末の接続不可能による無線通信方法の処理の流れを示したシーケンスである。
【図１０】基地局の接続不可能による無線通信方法の処理の流れを示したシーケンスである。
【符号の説明】
【００６９】
１００  …通信システム、１１０  …ＰＨＳ端末、１２０  …基地局、１３０  …通信網、１４０  …中継サーバ、１６０  …移動局制御部、１６２  …移動局メモリ、１６４  …表示部、１６６  …操作部、１６８  …音声入力部、１７０  …音声出力部、１７２  …移動局無線通信部、１８０  …割当メッセージ受信部、１８２  …接続確認部、１８４  …再接続要求送信部、１８６  …新規接続要求部、２１０  …基地局制御部、２１２  …基地局メモリ、２１４  …基地局無線通信部、２１６  …基地局有線通信部、２２０  …スロット割当部、２２２  …キャリア割当部、２２４  …割当メッセージ送信部、２２６  …再キャリア割当部、２２８  …接続不可メッセージ送信部、２５０  …従来の再接続要求メッセージ、２５２  …ビット、２５４  …オクテット、２５６  …理由表示、２６０  …本実施形態における再接続要求メッセージ、２６２  …キャリア番号、２６４  …継続フラグ
【図１】
2009201074.tif 000003
【図２】
2009201074.tif 000004
【図３】
2009201074.tif 000005
【図４】
2009201074.tif 000006
【図５】
2009201074.tif 000007
【図６】
2009201074.tif 000008
【図７】
2009201074.tif 000009
【図８】
2009201074.tif 000010
【図９】
2009201074.tif 000011
【図１０】
2009201074.tif 000012